(57)【特許請求の範囲】
【請求項１】
温水または冷水を供給するヒートポンプ式の熱源機と、
前記熱源機に設けられ前記熱源機の動作を制御する熱源制御部と、
前記熱源機からの温水または冷水を熱源として室内の暖房または冷房をそれぞれ行う第１室内端末機及び第２室内端末機と、
前記第２室内端末機に設けられ前記第２室内端末機の動作を制御する端末制御部と、
前記端末制御部と前記熱源制御部とを有線にて接続するとともに、信号を前記端末制御部から前記熱源制御部へ一方向にのみ伝える端末制御線と、
前記熱源制御部に対し通信可能に接続される、前記第１室内端末機を操作するためのメインリモコンと、
前記端末制御部に対し通信可能に接続される、前記第２室内端末機を操作するための端末リモコンと
を有するヒートポンプ式冷温水冷暖房装置において、
前記メインリモコンは、
前記熱源機が温水供給動作または冷水供給動作を実行する実行時間帯を設定可能なタイマー手段と、
前記温水供給動作または前記冷水供給動作のいずれの供給動作を実行するかを選択可能な選択手段と
を備えており、
前記端末制御部は、
前記端末リモコンを用いた、前記第２室内端末機による暖房運転または冷房運転の開始操作に応じて、対応する温水要求信号または冷水要求信号を前記端末制御線を介して前記熱源制御部へ送信し、
前記熱源制御部は、
前記メインリモコンにおいて前記タイマー手段による前記実行時間帯の設定と前記選択手段による前記供給動作の選択がなされた状態で、前記端末制御部から前記温水要求信号または前記冷水要求信号のいずれかの要求信号が受信されたか否かを判定する受信判定手段と、
前記受信判定手段により前記いずれかの要求信号が受信されたと判定された場合に、前記選択手段による前記選択と前記受信された要求信号とが整合するか否かを判定する整合判定手段と、
前記整合判定手段による判定が満たされた場合に、前記選択手段による選択及び前記受信された要求信号の両方に対応した前記温水供給動作または前記冷水供給動作を開始し、前記第２室内端末機による暖房運転または冷房運転を開始させるとともに前記実行時間帯における前記第１室内端末機による暖房運転または冷房運転を許容する、第１供給制御手段と、
前記整合判定手段による判定が満たされなかった場合に、前記選択手段による選択及び前記受信された要求信号のうち前記選択手段による選択のみに対応した前記温水供給動作または前記冷水供給動作を前記実行時間帯において行って前記第１室内端末機による暖房運転または冷房運転を行わせるとともに、前記第２室内端末機による暖房運転または冷房運転を無効化処理する、第２供給制御手段と
を有することを特徴とするヒートポンプ式冷温水冷暖房装置。
【請求項２】
前記端末制御部は、
前記端末リモコンを用いた前記開始操作に応じて、前記第２室内端末機の運転を開始させる、開始制御手段と、
前記開始制御手段により前記第２室内端末機の運転が開始された後、前記熱源からの前記温水又は前記冷水の供給の有無を判定する供給有無判定手段と、
前記供給有無判定手段により前記温水又は前記冷水の供給がないと判定された場合に、前記開始制御手段により開始された前記第２室内端末機の運転を中止する第１中止制御手段と
を有することを特徴とする請求項１記載のヒートポンプ式冷温水冷暖房装置。
【請求項３】
前記端末制御部は、
前記端末リモコンを用いた前記開始操作に応じて、前記第２室内端末機の運転を開始させる、開始制御手段と、
前記開始操作の内容と前記熱源から供給される前記温水又は前記冷水とが整合するか否かを判定する供給水判定手段と、
前記供給水判定手段により前記開始操作の内容と前記熱源から供給される前記温水又は前記冷水とが整合しないと判定された場合に、前記開始制御手段により開始された前記第２室内端末機の運転を中止する第２中止制御手段と
を有することを特徴とする請求項１記載のヒートポンプ式冷温水冷暖房装置。
【請求項４】
前記端末リモコンは、
前記第２室内端末機による暖房運転を開始させる操作を行うための暖房指示手段と、
前記第２室内端末機による冷房運転を開始させる操作を行うための冷房指示手段と
を備えており、
前記端末制御部は、
前記端末リモコンにおいて前記暖房指示手段の操作があった場合には前記温水要求信号を前記端末制御線を介して前記熱源制御部へ送信し、
前記端末リモコンにおいて前記冷房指示手段の操作があった場合には前記冷水要求信号を前記端末制御線を介して前記熱源制御部へ送信する
ことを特徴とする請求項１乃至請求項３の何れか１項に記載のヒートポンプ式冷温水冷暖房装置。
【発明の詳細な説明】
【技術分野】
【０００１】
本発明は、温水または冷水を供給する熱源機を備え、室内端末機から熱源機に向けて一方向に出力される信号に基づいて熱源機を制御する、ヒートポンプ式冷温水冷暖房装置に関するものである。
【背景技術】
【０００２】
従来、温水を生成する暖房専用の熱源機と、その熱源機の運転の開始または停止を指示する運転スイッチや温水温度を設定する温水温度設定スイッチ等を有するメインリモコンとを備え、熱源機で加熱された温水を、室内に設置された暖房用の室内端末機と熱源機の間で循環させ、室内端末機で放熱させることにより、室内の暖房を行うようにした温水供給システムがある（例えば、特許文献１参照）。この温水供給システムでは、室内端末機の端末制御部と熱源機の熱源制御部との間の通信が、室内端末機側からの信号を熱源機側に一方向にのみ伝える端末制御線（Ｅ−ｃｏｎ通信線）を介して行われ、前記端末制御部から前記熱源制御部へ出力される信号により前記熱源機の運転開始または停止が制御される。
【０００３】
また、温水のみならず冷水も生成することができる熱源機と、その熱源機の熱源制御部に通信可能に接続され、運転の開始または停止を指示する運転スイッチや暖房運転または冷房運転を選択する選択手段（運転モード選択スイッチ）や温水温度または冷水温度を設定する温度設定スイッチ等を有するメインリモコンと、熱源機で加熱された温水または熱源機で冷却された冷水を通水させ室内の暖房または冷房を行える冷暖房兼用の室内端末機と、室内端末機を遠隔制御する端末リモコンと、を備えた冷温水供給システムが知られている（例えば、特許文献２参照）。
【０００４】
さらに、熱源機の熱源制御部に通信可能に接続されたメインリモコンの操作によって室内端末機の暖房運転又は冷房運転が選択的に行われる構成において、メインリモコンにおいてタイマー操作を実行可能としたものも知られている（例えば、特許文献３参照）。このシステムでは、メインリモコンが前記の選択手段（詳細には冷温水の温度を設定する手段）とタイマー手段（タイマーボタン）とを備えており、熱源機制御部は、前記選択手段により選択された供給動作（温水供給動作または冷水供給動作）が、前記タイマー手段で設定された実行時間帯において実行されるように、前記熱源機を制御するものである。
【先行技術文献】
【特許文献】
【０００５】
【特許文献１】特開２００４−１８３９４１号公報
【特許文献２】特開２０１５−１７７４８号公報
【特許文献３】特開２０１４−２０６８２号公報
【発明の概要】
【発明が解決しようとする課題】
【０００６】
例えば、前記特許文献１と前記特許文献２とを組み合わせ、前記のようなメインリモコンによる熱源機の操作に基づき運転される冷暖房兼用の第１室内端末機と、前記のように端末リモコンの操作により運転される冷暖房兼用の第２室内端末機と、を備えた冷温水供給システムを構築することが考えられる。この場合、第２室内端末機の前記端末制御部から出力される信号が、一方向通信の端末制御線を介して前記熱源制御部に入力され、これによって熱源機の運転開始または停止が制御可能となる。この場合、ユーザの前記端末リモコンの操作に基づき前記第２室内端末機の前記端末制御部が出力する信号（温水要求信号または冷水要求信号）によって前記熱源機の運転が開始される際、熱源機では、前記メインリモコンの前記選択手段での選択結果に対応して、温水供給動作または冷水供給動作を行うこととなる。
【０００７】
その際、前記メインリモコンに対し、前記特許文献３のようなタイマー手段を備える構成を適用することが考えられる。しかしながらこの場合、上記のように２つのリモコン（温水・冷水供給動作の選択及び供給動作の実行時間帯の設定を行えるメインリモコンと、前記第２室内端末機の暖房・冷房運転の開始指示を行える端末リモコン）が併存することにより、以下の問題が生じ得る。
【０００８】
すなわち例えば、前記第１室内端末機のユーザが、事前に、メインリモコンの前記選択手段及び前記タイマー設定手段により、例えば所望の時間帯になったら暖房運転を行う（言い換えれば熱源機により温水供給動作を開始する）選択・設定をし、現在時刻は前記所望の時間帯以前であって前記温水供給動作が行われていない状態を想定する。この状態で、前記第２室内端末機のユーザが、前記端末リモコンを用いて、第２室内端末機の冷房運転の開始操作を行ったとすると、対応する冷水要求信号が熱源制御部へ送られる。この結果、そのままでは、前述のように当初は（暖房運転用の）温水供給動作の開始待ち状態であったにもかかわらず、第２室内端末機の冷房運転のために熱源制御部によって熱源機による（冷房運転用の冷水）冷水供給動作が開始される。そして、前記所望の時間帯が到来すると、第１室内端末機においても冷房運転が開始されてしまう。これとは逆に、当初（冷房運転用の）冷水供給動作の開始待ち状態であったにもかかわらず、前記第２室内端末機の暖房運転のために熱源機による温水供給動作が開始される場合もあり得る。
【０００９】
すなわち、前記したように、前記第２室内端末機の前記端末制御部と前記熱源制御部とを有線接続する前記端末制御線が、信号を端末制御部側から前記熱源制御部側へと一方向にしか伝えられないことから、前記のような２つのリモコンによる操作内容に食い違いが生じても、そのことを前記端末制御部側へ伝えることができない。なお、前記第２室内端末機の端末制御部と熱源機制御部との間の通信を双方向通信とすれば、上述したような問題が生じることはないが、双方向通信とすると、コストの上昇を招くだけでなく、自社ブランドの熱源機とそれに対応する自社ブランドの室内端末機との間でしか双方向通信の制御が統一されていないので、他社ブランドの任意の熱源機と自社ブランドの室内端末機を組み合わせて使用する、または自社ブランドの任意の熱源機と他社ブランドの室内端末機を組み合わせて使用するといったことができず、汎用性を欠くという問題がある。
【課題を解決するための手段】
【００１０】
上記課題を解決するために、本発明の請求項１では、温水または冷水を供給するヒートポンプ式の熱源機と、前記熱源機に設けられ前記熱源機の動作を制御する熱源制御部と、前記熱源機からの温水または冷水を熱源として室内の暖房または冷房をそれぞれ行う第１室内端末機及び第２室内端末機と、前記第２室内端末機に設けられ前記第２室内端末機の動作を制御する端末制御部と、前記端末制御部と前記熱源制御部とを有線にて接続するとともに、信号を前記端末制御部から前記熱源制御部へ一方向にのみ伝える端末制御線と、前記熱源制御部に対し通信可能に接続される、前記第１室内端末機を操作するためのメインリモコンと、前記端末制御部に対し通信可能に接続される、前記第２室内端末機を操作するための端末リモコンとを有するヒートポンプ式冷温水冷暖房装置において、前記メインリモコンは、前記熱源機が温水供給動作または冷水供給動作を実行する実行時間帯を設定可能なタイマー手段と、前記温水供給動作または前記冷水供給動作のいずれの供給動作を実行するかを選択可能な選択手段とを備えており、前記端末制御部は、前記端末リモコンを用いた、前記第２室内端末機による暖房運転または冷房運転の開始操作に応じて、対応する温水要求信号または冷水要求信号を前記端末制御線を介して前記熱源制御部へ送信し、前記熱源制御部は、前記メインリモコンにおいて前記タイマー手段による前記実行時間帯の設定と前記選択手段による前記供給動作の選択がなされた状態で、前記端末制御部から前記温水要求信号または前記冷水要求信号のいずれかの要求信号が受信されたか否かを判定する受信判定手段と、前記受信判定手段により前記いずれかの要求信号が受信されたと判定された場合に、前記選択手段による前記選択と前記受信された要求信号とが整合するか否かを判定する整合判定手段と、前記整合判定手段による判定が満たされた場合に、前記選択手段による選択及び前記受信された要求信号の両方に対応した前記温水供給動作または前記冷水供給動作を開始し、前記第２室内端末機による暖房運転または冷房運転を開始させるとともに前記実行時間帯における前記第１室内端末機による暖房運転または冷房運転を許容する、第１供給制御手段と、前記整合判定手段による判定が満たされなかった場合に、前記選択手段による選択及び前記受信された要求信号のうち前記選択手段による選択のみに対応した前記温水供給動作または前記冷水供給動作を前記実行時間帯において行って前記第１室内端末機による暖房運転または冷房運転を行わせるとともに、前記第２室内端末機による暖房運転または冷房運転を無効化処理する、第２供給制御手段とを有するものである。
【００１１】
また、請求項２では、前記端末制御部は、前記端末リモコンを用いた前記開始操作に応じて、前記第２室内端末機の運転を開始させる、開始制御手段と、前記開始制御手段により前記第２室内端末機の運転が開始された後、前記熱源からの前記温水又は前記冷水の供給の有無を判定する供給有無判定手段と、前記供給有無判定手段により前記温水又は前記冷水の供給がないと判定された場合に、前記開始制御手段により開始された前記第２室内端末機の運転を中止する第１中止制御手段とを有するものである。
【００１２】
また、請求項３では、前記端末制御部は、前記端末リモコンを用いた前記開始操作に応じて、前記第２室内端末機の運転を開始させる、開始制御手段と、前記開始操作の内容と前記熱源から供給される前記温水又は前記冷水とが整合するか否かを判定する供給水判定手段と、前記供給水判定手段により前記開始操作の内容と前記熱源から供給される前記温水又は前記冷水とが整合しないと判定された場合に、前記開始制御手段により開始された前記第２室内端末機の運転を中止する第２中止制御手段とを有するものである。
【００１３】
また、請求項４では、前記端末リモコンは、前記第２室内端末機による暖房運転を開始させる操作を行うための暖房指示手段と、前記第２室内端末機による冷房運転を開始させる操作を行うための冷房指示手段とを備えており、前記端末制御部は、前記端末リモコンにおいて前記暖房指示手段の操作があった場合には前記温水要求信号を前記端末制御線を介して前記熱源制御部へ送信し、前記端末リモコンにおいて前記冷房指示手段の操作があった場合には前記冷水要求信号を前記端末制御線を介して前記熱源制御部へ送信するものである。  
【発明の効果】
【００１４】
この発明の請求項１によれば、熱源機に通信可能に接続されたメインリモコンでの操作に応じて前記熱源機の動作が制御され、これによってメインリモコンの操作対象となる室内端末機（第１室内端末機）において暖房運転又は冷房運転が選択的に行われる。
【００１５】
このとき、メインリモコンでは、特にタイマー操作を実行可能である。すなわちメインリモコンはタイマー手段と選択手段とを備えており、熱源機制御部は、前記選択手段により選択された供給動作（温水供給動作または冷水供給動作）が、タイマー手段で設定された実行時間帯において実行されるように、熱源機を制御する。
【００１６】
一方、請求項１によれば、前記第１室内端末機とは別の室内端末機（第２室内端末機）が備えられている。この第２室内端末機に備えられた端末制御部が端末リモコンに対し通信可能に接続されており、さらに前記端末制御部は、端末制御線を介して前記熱源制御部に対し有線接続されている。そして、端末リモコンにおいて第２室内端末機の暖房運転開始操作が行われた場合は、端末制御部は対応する温水要求信号を熱源制御部へ送信し、端末リモコンにおいて第２室内端末機の冷房運転開始操作が行われた場合は、端末制御部は対応する冷水要求信号を熱源制御部へ送信する。
【００１７】
そして、本願発明の請求項１によれば、熱源制御部に、受信判定手段と整合判定手段とが設けられる。受信判定手段は、メインリモコンにおいて前記実行時間帯の設定及び前記供給動作の選択がなされた状態で、端末制御部から前記温水要求信号または前記冷水要求信号のいずれが受信されたか否かを判定する。いずれかの要求信号が受信された場合には、整合判定手段が、選択手段による選択と受信された要求信号とが整合している（すなわち温水供給動作の選択と温水要求信号の受信、冷水供給動作の選択と冷水要求信号の受信）か否か、を判定する。
【００１８】
そして、前記判定が満たされなかった場合（選択と要求信号とが整合せず食い違っていた場合）は、第２供給制御手段は、前記第２室内端末機による暖房運転または冷房運転を無効化処理（例えば前記要求信号を無視）する。そして、前記実行時間帯において、前記選択のみに対応した前記温水供給動作（または前記冷水供給動作）を行うことで、第１室内端末機による暖房運転（または冷房運転）を行わせる。これにより、前述したような、メインリモコンにおける当初の選択と食い違った運転が行われるのを防止することができ、ユーザの利便性を向上することができる。
【００１９】
なお、前記判定が満たされた場合（選択と要求信号とが整合していた場合）は、第１供給制御手段が、前記選択（言い換えれば前記要求信号）に対応した前記温水供給動作（または前記冷水供給動作）を開始する。これにより、前記第２室内端末機の暖房運転（または冷房運転）をそのまま開始させることができるとともに、前記実行時間帯の到来時には（前記のような食い違いが生じることなく）前記第１室内端末機による暖房運転（または冷房運転）を行うことができる。
【００２０】
また、請求項２によれば、前記端末制御線が一方向通信であって前記食い違いによる要求信号が無視されたことを端末制御部側では知り得ないことに対応し、供給有無判定手段が設けられる。すなわち、前記のように、端末リモコンにおいて暖房運転（又は冷房運転）の開始操作が行われ開始制御手段によって第２室内端末機の運転が開始されたら、供給有無判定手段が、熱源から温水又は冷水が供給されているか否かを判定する。前記無視により熱源が運転開始されていない（すなわちその時点で前記実行時間帯の範囲外である）場合には、温水又は冷水が供給されていないと判定されて、第１中止制御手段により、前記のようにいったん開始制御手段により開始された第２室内端末機の運転が中止される。これにより、前記の食い違いが生じた場合における、メインリモコンの操作優先による端末リモコンの操作の実質無効化（第２室内端末機の非運転化）を円滑に実行することができる。
【００２１】
また、請求項３によれば、前記端末制御線が一方向通信であって前記食い違いによる要求信号が無視されたことを端末制御部側では知り得ないことに対応し、供給水判定手段が設けられる。すなわち、前記のように、端末リモコンにおいて暖房運転（又は冷房運転）の開始操作が行われ開始制御手段によって第２室内端末機の運転が開始されたら、供給水判定手段が、熱源から供給される温水又は冷水と、前記開始操作の内容とが整合しているか否かを判定する。前記無視により熱源からの供給が開始操作の内容と整合していない（すなわち第２室内端末機の暖房運転の開始操作にもかかわらず冷水が供給されている、あるいは、第２室内端末機の冷房運転の開始操作にもかかわらず温水が供給されている）場合には、第２中止制御手段により、前記のようにいったん開始制御手段により開始された第２室内端末機の運転が中止される。これにより、前記の食い違いが生じた場合における、メインリモコンの操作優先による端末リモコンの操作の実質無効化（第２室内端末機の非運転化）を円滑に実行することができる。
【００２２】
また、請求項４によれば、端末リモコンにおける、ユーザによる暖房運転の開始操作（又は冷房運転の開始操作）に確実に対応させて、端末制御部から熱源制御部に対し温水要求信号（又は冷水要求信号）を送信することができる。
【図面の簡単な説明】
【００２３】
【図１】本発明の一実施形態の冷温水冷暖房装置全体の回路構成図
【図２】メインリモコンの外観図
【図３】暖房運転時の作動を説明する図
【図４】冷房運転時の作動を説明する図
【図５】端末制御部及び熱源制御部の構成を表す回路図
【図６】メインリモコンによるタイマー暖房設定時に端末リモコンから冷房運転を指示された場合の、比較例による挙動を表す図
【図７】メインリモコンによるタイマー暖房設定時に端末リモコンから冷房運転を指示された場合の、比較例による挙動を表す図
【図８】メインリモコンによるタイマー暖房設定時に端末リモコンから冷房運転を指示された場合の、実施形態による挙動を表す図
【図９】メインリモコンによるタイマー暖房設定時に端末リモコンから冷房運転を指示された場合の、実施形態による挙動を表す図
【図１０】メインリモコンによるタイマー暖房設定時に端末リモコンから暖房運転を指示された場合の、実施形態による挙動を表す図
【図１１】メインリモコンによるタイマー暖房設定時に端末リモコンから暖房運転を指示された場合の、実施形態による挙動を表す図
【図１２】メインリモコンによるタイマー設定された運転時間帯に暖房運転を実行中、端末リモコンから冷房運転を指示された場合の、実施形態による挙動を表す図
【図１３】メインリモコンによるタイマー設定された運転時間帯に暖房運転を実行中、端末リモコンから冷房運転を指示された場合の、実施形態による挙動を表す図
【図１４】メインリモコンによるタイマー設定された運転時間帯に暖房運転を実行中、端末リモコンから暖房運転を指示された場合の、実施形態による挙動を表す図
【図１５】メインリモコンによるタイマー設定された運転時間帯に暖房運転を実行中、端末リモコンから暖房運転を指示された場合の、実施形態による挙動を表す図
【図１６】熱源制御部が実行する制御手順を表すフローチャート図
【図１７】端末制御部が実行する制御手順を表すフローチャート図
【発明を実施するための形態】
【００２４】
以下、本発明の一実施の形態を図１〜図１７に基づいて説明する。
【００２５】
本実施形態は、本発明を、地中熱源を利用する地中熱ヒートポンプ型の冷温水冷暖房装置に適用した場合の実施形態である。本実施形態の冷温水冷暖房装置全体の回路構成を図１に示す。図１に示すように、この冷温水冷暖房装置１００は、冷水または温水を生成するヒートポンプ式の熱源機としてのヒートポンプユニット１と、熱源として地中に設置された地中熱交換器１１と、室内の空調（冷房または暖房）をそれぞれ行う、冷暖房兼用の第１室内端末機としての冷温水パネル６６及び冷暖房兼用の第２室内端末機としてのファンコイル１６と、前記ファンコイル１６を遠隔制御するためのワイヤレス式の端末リモコン２３と、例えばリビング等の室内に設置されるメインリモコン３４とを有している。
【００２６】
前記ヒートポンプユニット１は、冷媒を圧縮する能力可変の圧縮機２と、負荷側熱交換器４と、膨張弁５と、熱源側熱交換器６とを備えており、それらが冷媒配管７によって環状に接続されヒートポンプ回路８が形成されている。前記冷媒配管７には、ヒートポンプ回路８における冷媒の流れ方向を切り換える切換弁としての四方弁３が設けられている。
【００２７】
前記ヒートポンプ回路８を循環する冷媒としては、例えばＲ４１０ＡやＲ３２等のＨＦＣ冷媒や二酸化炭素冷媒等の任意の冷媒を用いることができる。
圧縮機２から吐出された冷媒の温度は、吐出温度センサ９によって検出される。また、暖房運転時においては、膨張弁５から熱源側熱交換器６に流入するまでの気液混合状態の冷媒の温度が冷媒温度センサ１０によって検出される。なお、冷房運転時においては、熱源側熱交換器６から膨張弁５に流入するまでの冷媒の温度が前記冷媒温度センサ１０によって検出されることとなる。
【００２８】
前記地中熱交換器１１は、前記熱源側熱交換器６を流通する熱媒を加熱または冷却する。前記地中熱交換器１１と、回転速度可変の熱源側循環ポンプ１４と、前記熱源側熱交換器６とが、熱源側配管１２で環状に接続されて熱源側循環回路１３が形成されている。この熱源側循環回路１３には、前記熱源側循環ポンプ１４によって、エチレングリコールやプロピレングリコール等を添加した不凍液が熱媒として循環されるとともに、前記不凍液を貯留し熱源側循環回路１３の圧力を調整する熱源側シスターン１５が設けられている。なお、地中熱交換器１１は、地中に設けられるのには限られず、例えば湖沼、貯水池、河川、海、温泉、井戸等の、比較的大容量の水源中に設けられ、それらから採放熱するようにしてもよい。
【００２９】
前記ファンコイル１６は、その内部に、熱交換器（図示せず）、送風ファン（図示せず）、熱動弁Ｖ２、室内温度を検出する室内温度センサ（図示せず）、ファンコイル１６内を流通する温水または冷水の温度を検出する水温センサ（図示せず）、及び端末制御部２９等を備えている。端末制御部２９は、ファンコイル１６内部の前記室内温度センサの信号や端末リモコン２３（後述）からの信号を受け、前記送風ファンや前記熱動弁Ｖ２の駆動を制御する。これにより、ファンコイル１６は、前記ヒートポンプユニット１で加熱された温水または冷却された冷水を、内部の前記熱交換器に通水させると共に、前記送風ファンを駆動させて室内空気と熱交換させ、室内の暖房または冷房を行う。
【００３０】
前記冷温水パネル６６は、前記ヒートポンプユニット１で加熱された温水または冷却された冷水を用いて、室内空気に対し放熱または放熱を行い、室内の暖房又は冷房を行う。
【００３１】
このとき、前記ファンコイル１６または冷温水パネル６６と、前記負荷側熱交換器４と、負荷側循環ポンプ１８とが、環状に接続されて負荷側循環回路１７が形成されている。詳細には、負荷側循環回路１７において、前記負荷側熱交換器４とその下流側の往きヘッダ１９との間は共通往き管１７ｇにより接続され、前記往きヘッダ１９と前記冷温水パネル６６との間が第１往き管６７ａにより接続され、前記往きヘッダ１９と前記ファンコイル１６との間が第２往き管１７ａにより接続されている。なお、前記第１往き管６７ａには、第１往き管６７ａを開閉可能な熱動弁Ｖ１が設けられており、またファンコイル１６内部に位置する前記第２往き管１７ａに、前記熱動弁Ｖ２が設けられている。また、前記負荷側熱交換器４とその上流側の戻りヘッダ２０との間は共通戻り管１７ｒにより接続され、前記冷温水パネル６６と前記戻りヘッダ２０との間が第１戻り管６７ｂにより接続され、前記ファンコイル１６と前記戻りヘッダ２０との間が第２戻り管１７ｂにより接続されている。このような構成の負荷側循環回路１７には、前記負荷側循環ポンプ１８によって、不凍液等の熱媒が循環されるとともに、前記不凍液を貯留し負荷側循環回路１７の圧力を調整する負荷側シスターン２２が設けられている。また、ファンコイル１６又は冷温水パネル６６から負荷側熱交換器４に流入する熱媒の温度は戻り温度センサ２１によって検出される。
【００３２】
なお、前記圧縮機２、前記四方弁３、前記膨張弁５、前記熱源側循環ポンプ１４、前記負荷側循環ポンプ１８、及び前記熱動弁Ｖ１は、ヒートポンプユニット１内の各種センサの信号や、ファンコイル１６の前記端末制御部２９から出力される信号や、（熱源制御部４０に対し通信可能に接続された）前記メインリモコン３４からの信号に基づき、熱源制御部４０によって制御される（図示の煩雑防止のため、図１にはそれらのうち四方弁３及び熱動弁Ｖ１への制御信号線のみを図示）。
【００３３】
前記端末リモコン２３は、ファンコイル１６に室内を暖房する暖房運転を行わせるための暖房指示手段としての暖房スイッチ２４と、ファンコイル１６に室内を冷房する冷房運転を行わせるための冷房指示手段としての冷房スイッチ２５と、ファンコイル１６の運転を停止させる停止スイッチ２６と、室内温度を設定する室内温度設定スイッチ２７と、室内の設定温度や運転状態を表示する表示部２８とを備え、前記端末制御部２９に対し通信可能に接続されている。
【００３４】
次に、前記メインリモコン３４の詳細構成を図２により説明する。図２において、前記メインリモコン３４は、押圧によってメインリモコン３４とヒートポンプユニット１の電気系統とに通電を行い、ヒートポンプユニット１を待機状態にするための電源スイッチ３５と、ヒートポンプユニット１の待機状態を暖房運転（言い換えれば温水供給動作）にするか冷房運転（言い換えれば冷水供給動作）にするかを選択するための選択手段としての運転切替ボタン３６と、運転切替ボタン３６で選択されている暖房運転または冷房運転にてヒートポンプユニット１の運転を開始させる運転スイッチ３７と、前記ヒートポンプユニット１に対しタイマー操作で運転を行うためのタイマー手段としてのタイマーボタン３８と、ファンコイル１６及び冷温水パネル６６の運転状態や各種設定状態を表示可能な表示部３９とを備えている。
【００３５】
図示の例では、前記表示部３９は、前記タイマー操作がなされた場合の表示例を示しており、「０」〜「１２」〜「０」で表記する２４時間のうち、黒色部が温水供給動作または冷水供給動作の実行時間帯（言い換えれば運転時間帯）を表し、白色部が温水供給動作または冷水供給動作の非実行時間帯（言い換えれば非運転時間帯）を表している。なお、このような時間帯設定を行うための、タイマーボタン３８等を含むメインリモコン３４での操作の詳細は公知の手法で足りるので省略する。この例では、現在時刻が１２月２４日の６：００であるときに、前記運転切替ボタン３６による選択操作とタイマーボタン３８等による運転時間帯の設定とによって、予め、７：００〜１２：００までの５時間の間と、１７：００〜０：００（２４：００）までの７時間の間だけに、温水の供給動作（言い換えれば暖房運転）の実行予定がセットされた状態である。
【００３６】
ここで、本実施形態の冷温水冷暖房装置は、前記四方弁３の切替によって、暖房運転を行う暖房装置、若しくは、冷房運転を行う冷房装置、として選択的に機能させることができる。次に、図３及び図４を用いてこの暖房運転及び冷房運転について説明する。
【００３７】
図３に、暖房運転時の状態を示す。なお、図示の煩雑を防止するために、図１に示していた各種の信号線は省略している。この図３に示す暖房運転時においては、ヒートポンプ回路８では、図示のように前記四方弁３が切り替えられることで、圧縮機２から吐出された冷媒を、負荷側熱交換器４、膨張弁５、熱源側熱交換器６の順に流通させた後、圧縮機２に戻す流路を形成する。
【００３８】
これにより、ヒートポンプ回路８においては、前記圧縮機２から吐出された冷媒が、負荷側熱交換器４、膨張弁５、熱源側熱交換器６の順に流れる。このとき、圧縮機２から吐出された高温冷媒と前記負荷側循環ポンプ１８の駆動により負荷側循環回路１７を循環する熱媒とが、前記負荷側熱交換器４にて熱交換する。これによって加熱された熱媒（温水）は、負荷側循環ポンプ１８の駆動によってファンコイル１６及び冷温水パネル６６の少なくとも一方（詳細は後述）に供給され、室内空気と熱交換させることで、室内の暖房が行われる。なお、熱源側熱交換器６では、熱源側循環回路１３を循環する不凍液と膨張弁５から吐出された低温冷媒とが熱交換することで、冷媒が加熱されて蒸発する。
【００３９】
図４に、冷房運転時の状態を示す。前記と同様、図１に示していた各種の信号線は省略している。この図４に示す冷房運転時においては、ヒートポンプ回路８では、図示のように前記四方弁３が切り替えられることで、圧縮機２から吐出された冷媒を、熱源側熱交換器６、膨張弁５、負荷側熱交換器４の順に流通させ、圧縮機２に戻す流路を形成する。
【００４０】
これにより、ヒートポンプ回路８においては、前記圧縮機２から吐出された冷媒が、熱源側熱交換器６、膨張弁５、負荷側熱交換器４の順に流れる。このとき、膨張弁５から吐出された低温冷媒と前記負荷側循環ポンプ１８の駆動により負荷側循環回路１７を循環する熱媒とが、負荷側熱交換器４にて熱交換する。これによって冷却された熱媒（冷水）は、負荷側循環ポンプ１８の駆動によってファンコイル１６及び冷温水パネル６６の少なくとも一方（詳細は後述）に供給され、室内空気と熱交換させることで、室内の冷房が行われる。なお、熱源側熱交換器６では、熱源側循環回路１３を循環する不凍液と圧縮機２から吐出された高温冷媒とが熱交換することで、冷媒が冷却されて凝縮する。
【００４１】
次に、前記端末制御部２９及び前記熱源制御部４０の詳細構成について、図５を用いて説明する。
【００４２】
図５において、端末制御部２９は、マイクロコンピュータ３０と、信号送信回路３１とを備えている。マイクロコンピュータ３０は２つの出力ポートＯＵＴ１，ＯＵＴ２を備えており、信号送信回路３１は２つの接点３２，３３を備えている。前記端末リモコン２３の暖房スイッチ２４（または冷房スイッチ２５）がユーザにより操作されて運転開始の指示がなされると、端末制御部２９はその指示信号を受信する。そして、端末制御部２９では、受信した指示信号に応じて、前記マイクロコンピュータ３０の出力ポートＯＵＴ１（または出力ポートＯＵＴ２）から信号を出力して信号送信回路３１の接点３２（または接点３３）を閉止させる。これにより、熱源制御部４０に対し、暖房運転に関連する温水要求信号（または冷房運転に関連する冷水要求信号）を出力する。
【００４３】
前記熱源制御部４０は、マイクロコンピュータ４１と、信号受信回路４２とを備えている。マイクロコンピュータ４１は２つの入力ポートＩＮ１，ＩＮ２を備えている。そして、熱源制御部４０と前記端末制御部２９との間は、端末制御部２９からの信号を一方向に伝える端末制御線４４（Ｅ−ｃｏｎ通信線）で接続されている。端末制御線４４は、この例では、第１芯線４４Ａ、第２芯線４４Ｂ、第３芯線４４Ｃの３つにより構成されている。なお、上記Ｅ−ｃｏｎ通信とは、大手ガス会社や暖房機器メーカ等の共通仕様で、端末機から出力される一方向の信号により、熱源機の動作を開始・停止させる通信を意味している。すなわち、Ｅ−ｃｏｎ通信線は安価に利用でき、汎用性が高いものである。一方、熱源制御部４０とメインリモコン３４の間は、双方向通信線４３で接続されており、信号のやりとりを相互に行うことができる。
【００４４】
次に、前記した、端末制御部２９から熱源制御部４０への前記温水要求信号の出力が行われるまでの流れを説明する。ここで、メインリモコン３４の前記電源スイッチ３５はオンされており、ヒートポンプユニット１は待機状態となっているものとする。
【００４５】
ユーザの前記暖房スイッチ２４の操作に基づき端末リモコン２３から対応する暖房開始指示信号が端末制御部２９において受信されると、前記マイクロコンピュータ３０は前記出力ポートＯＵＴ１から信号を出力し、信号送信回路３１の接点３２を閉止させる。この時、接点３３は開放状態となっている。
【００４６】
前記接点３２が閉止されると、熱源制御部４０の電圧信号Ｖｃｃが、端末制御線４４の前記第１芯線４４Ａを介して信号送信回路３１へ出力され、さらに端末制御線４４の前記第２芯線４４Ｂを介して信号受信回路４２に印加される。この結果、マイクロコンピュータ４１の入力ポートＩＮ１の電圧レベルがＨＩＧＨからＬＯＷに変化し、マイクロコンピュータ４１は、ファンコイル１６を暖房運転するための温水要求信号が出力されたことを検知する（すなわち温水要求信号を受信している状態）。
【００４７】
なお、その後、ユーザの端末リモコン２３の前記停止スイッチ２６の操作に基づき前記端末リモコン２３から対応する暖房停止指示信号が受信されると、マイクロコンピュータ３０は前記出力ポートＯＵＴ１から信号を出力し信号送信回路３１の接点３２を開放させる。前記接点３２が開放されると、熱源制御部４０のマイクロコンピュータ４１の入力ポートＩＮ１の電圧レベルがＬＯＷからＨＩＧＨに変化する。この結果、マイクロコンピュータ４１は、前記温水要求信号の出力が停止したことを検知する（すなわち温水要求信号を受信しなくなった状態）。
【００４８】
次に、前記した、端末制御部２９から熱源制御部４０への前記冷水要求信号の出力が行われるまでの流れを説明する。ここで、前述と同様、メインリモコン３４の電源スイッチ３５はオンされており、ヒートポンプユニット１は待機状態となっているものとする。
【００４９】
ユーザの前記冷房スイッチ２５の操作に基づき端末リモコン２３から対応する冷房開始指示信号が端末制御部２９において受信されると、前記マイクロコンピュータ３０は前記出力ポートＯＵＴ２から信号を出力し、信号送信回路３１の接点３３を閉止させる。この時、接点３２は開放状態となっている。
【００５０】
前記接点３３が閉止されると、熱源制御部４０の電圧信号Ｖｃｃが、端末制御線４４の前記第１芯線４４Ａを介して信号送信回路３１へ出力され、さらに端末制御線４４の前記第３芯線４４Ｃを介して信号受信回路４２に印加される。この結果、マイクロコンピュータ４１の入力ポートＩＮ２の電圧レベルがＨＩＧＨからＬＯＷに変化し、マイクロコンピュータ４１は、ファンコイル１６を冷房運転するための冷水要求信号が出力されたことを検知する（すなわち冷水要求信号を受信した状態）。
【００５１】
なお、その後、ユーザの端末リモコン２３の前記停止スイッチ２６が操作に基づき前記端末リモコン２３から対応する冷房停止指示信号が受信されると、マイクロコンピュータ３０は前記出力ポートＯＵＴ２から信号を出力し信号送信回路３１の接点３３を開放させる。前記接点３３が開放されると、熱源制御部４０のマイクロコンピュータ４１の入力ポートＩＮ２の電圧レベルがＬＯＷからＨＩＧＨに変化する。この結果、マイクロコンピュータ４１は、前記冷水要求信号の出力が停止したことを検知する（すなわち冷水要求信号を受信しなくなった状態）。
【００５２】
以上の基本構成及び作動である本実施形態の冷温水冷暖房装置１００において、本実施形態の要部は、メインリモコン３４で選択された前記タイマー操作での運転内容と、端末リモコン２３の操作に基づく前記温水要求信号または冷水要求信号との、整合・非整合に応じた、運転制御処理にある。以下、その詳細を順を追って説明する。
【００５３】
まず、本実施形態の比較例として、前記タイマー操作での運転内容と、前記温水要求信号・冷水要求信号との非整合が生じる場合の例を、図６及び図７を用いて説明する。
【００５４】
図６において、この例では、冷温水パネル６６のユーザが、事前に、前記メインリモコン３４の前記運転切替ボタン３６による選択操作とタイマーボタン３８等による運転時間帯の設定とにより、例えば所望の時間帯（前記図２の例では７：００〜１２：００若しくは１７：００〜０：００）になったら暖房運転を行う（言い換えればヒートポンプユニット１により温水供給動作を開始する）設定をした状態である。この状態で、例えばファンコイル１６を利用する別のユーザが前記端末リモコン２３を操作し、ファンコイル１６の冷房運転の開始指示信号が送信されると、前記したように、対応する前記冷水要求信号が端末制御部２９から端末制御線４４を介して熱源制御部４０へ送られる。この結果、そのままでは、ヒートポンプユニット１は、それまでは（暖房運転用の）温水供給動作の開始待ち状態であったにもかかわらず、前記冷水要求信号を受信した熱源制御部４０の制御により、（前記の冷房運転の開始操作を受け入れた形で）ファンコイル１６の冷房運転のための冷水供給動作が開始される。すなわち、負荷側熱交換器４においてヒートポンプ回路８の低温冷媒と熱交換して冷却された熱媒（冷水）が、共通往き管１７ｇ、往きヘッダ１９、第２往き管１７ａを介し、（前記端末リモコン２３の操作により熱動弁Ｖ２が既に開き状態とされている）ファンコイル１６へ導入され、ファンコイル１６の冷房運転が行われる。
【００５５】
そして、前記所望の時間帯が到来すると、図７に示すように、熱源制御部４０の制御により熱動弁Ｖ１が開き状態となり、前記冷却された熱媒（冷水）が、共通往き管１７ｇ、往きヘッダ１９、第１往き管６７ａを介し、冷温水パネル６６へ導入される。この結果、冷温水パネル６６において、ユーザが当初予期していない冷房運転が開始されてしまう。なお、このようなメインリモコン３４の暖房運転の設定とは相反する端末リモコン２３での冷房運転の操作がなされる可能性としては、春先や秋口等、人間それぞれの体感温度の違いによって求める空調の種類が微妙に異なり得る気候条件の場合や、端末リモコン２３を単に誤操作した場合、等が考えられる。
【００５６】
そこで、本実施形態においては、上記のようなユーザの予期しない冷温水パネル６６の運転を防止するために、熱源制御部４０が、メインリモコン３４における前記タイマー操作での運転内容と、前記端末リモコン２３の操作に基づく前記温水要求信号または冷水要求信号とが、整合しているか否かを判定する。すなわち、図８に示すように、前記図６と同様にリモコン３４にて所望の時間帯になったら温水供給動作を行う設定がされた状態で、ファンコイル１６の冷房運転の開始指示信号に対応した前記冷水要求信号が端末制御部２９から受信された場合には、熱源制御部４０は、前記「温水供給動作」と前記「冷水要求信号」とが整合しないと判定する。この結果、熱源制御部４０は、無効化処理として前記冷水要求信号を無視し、前記図６のような冷水供給動作を開始しない（温水供給動作も開始しない）。このとき、前記ファンコイル１６は、前記端末リモコン２３の操作により熱動弁Ｖ２を開き状態として一旦起動するが、前記のように冷水が供給されてこないことから、公知の手法により自動的に停止する。
【００５７】
その後、時間の経過と共に前記所望の時間帯となったら、図９に示すように、熱源制御部４０は、前記したようにヒートポンプユニット１の各部を制御（前記熱動弁Ｖ１の開き制御を含む）し、前記運転切替ボタン３６による選択操作（＝暖房）に対応し、温水供給動作を開始させる。すなわち、負荷側熱交換器４においてヒートポンプ回路８の高温冷媒と熱交換して加熱された熱媒（温水）が、共通往き管１７ｇ、往きヘッダ１９、第１往き管６７ａ、開き状態の前記熱動弁Ｖ１を介し、冷温水パネル６６へ導入され、冷温水パネル６６の暖房運転が当初の予定通り行われる。なお、後述の図１０〜図１５との対比のために、上記の制御が実行される状態（場面）を、図８及び図９において「場面１」と表記している。
【００５８】
一方、上記図８及び図９では、前記タイマー操作で選択された暖房運転と、前記端末リモコン２３の操作に基づく前記冷水要求信号とが整合しなかった場合を説明したが、整合する場合もあり得る。このような場合を「場面２」として、以下の図１０及び図１１により説明する。
【００５９】
例えば、図１０に示すように、前記図６及び図８と同様にリモコン３４にて所望の時間帯になったら温水供給動作を行う設定がされた状態で、ファンコイル１６の暖房運転の開始指示信号に対応した前記温水要求信号が端末制御部２９から受信された場合には、熱源制御部４０は、前記「温水供給動作」と前記「温水要求信号」とは整合すると判定する。この結果、熱源制御部４０は、前記温水要求信号を無視することなく、前記したようにヒートポンプユニット１の各部を制御し、前記運転切替ボタン３６による選択操作（＝暖房）に対応し、温水供給動作を開始させる。すなわち、負荷側熱交換器４においてヒートポンプ回路８の高温冷媒と熱交換して加熱された熱媒（温水）が、共通往き管１７ｇ、往きヘッダ１９、第２往き管１７ａを介し、（前記端末リモコン２３の操作により熱動弁Ｖ２が既に開き状態とされている）ファンコイル１６へ導入され、ファンコイル１６の暖房運転が行われる。
【００６０】
その後、時間の経過と共に前記所望の時間帯となったら、図１１に示すように、熱源制御部４０は、前記のようなヒートポンプユニット１の温水供給動作を継続させるとともに、前記熱動弁Ｖ１を開き、冷温水パネル６６への温水供給を開始する。すなわち、前記のように負荷側熱交換器４においてヒートポンプ回路８の高温冷媒と熱交換して加熱された熱媒（温水）の一部が、共通往き管１７ｇ、往きヘッダ１９、第１往き管６７ａ、開き状態の前記熱動弁Ｖ１を介し、冷温水パネル６６へ導入され、冷温水パネル６６の暖房運転が（当初の予定通り）行われる。
【００６１】
ところで、上記においては、所望の時間帯になったら温水供給動作を行うという設定がされた状態（すなわちまだ当該所望の時間帯にはなっていない状態）で前記冷水要求信号が受信された場合を例にとって説明したが、前記時間帯が到来して（タイマー操作の設定による）温水供給動作が既に実行されている場合もあり得る。まず、温水供給動作の実行中に前記冷水要求信号が受信された場合を、「場面３」として、以下の図１２及び図１３により説明する。
【００６２】
すなわち、図１２において、予め設定された前記所望の時間帯となったことに対応して、熱源制御部４０の制御により、前記したようにヒートポンプユニット１の各部が制御（前記熱動弁Ｖ１の開き制御を含む）され、ヒートポンプユニット１は、前記運転切替ボタン３６による選択操作（＝暖房）に対応した温水供給動作を行っている。すなわち、負荷側熱交換器４においてヒートポンプ回路８の高温冷媒と熱交換して加熱された熱媒（温水）が、共通往き管１７ｇ、往きヘッダ１９、第１往き管６７ａ、開き状態の前記熱動弁Ｖ１を介し、冷温水パネル６６へ導入され、冷温水パネル６６の暖房運転が行われている。
【００６３】
この状態で、図１３に示すように、ファンコイル１６の冷房運転の開始指示信号に対応した前記冷水要求信号が端末制御部２９から受信された場合には、熱源制御部４０は、前記「温水供給動作」と前記「冷水要求信号」とが整合しないと判定する。これにより、熱源制御部４０は、無効化処理として前記冷水要求信号を無視し、それまでの前記温水供給動作をそのまま継続する。この結果、冷温水パネル６６は、引き続き暖房運転を行う。なおこのとき、前記ファンコイル１６は、前記端末リモコン２３の操作に基づき端末制御部２９により熱動弁Ｖ２が開き状態とされて一旦起動するが、「冷水要求信号」を送信したにもかかわらず、往きヘッダ１９から第２往き管１７ａを介し温水が供給されてくる（すなわち要求信号と供給水の不整合）ことから、端末制御部２９がファンコイル１６内の水温センサの検出結果に基づきこれを検知し、適宜の手法によって自動的にファンコイル１６を停止する。
【００６４】
一方、温水供給動作の実行中に前記温水要求信号が受信された場合を、「場面４」として、以下の図１４及び図１５により説明する。図１４に示す状態は図１２と同一である。すなわち、熱源制御部４０の制御によりヒートポンプユニット１が温水供給動作を行い、加熱された熱媒（温水）が、共通往き管１７ｇ、往きヘッダ１９、第１往き管６７ａ、開き状態の前記熱動弁Ｖ１を介し、冷温水パネル６６へ導入されて暖房運転が行われている。
【００６５】
この状態で、図１５に示すように、ファンコイル１６の暖房運転の開始指示信号に対応した前記温水要求信号が端末制御部２９から受信された場合には、熱源制御部４０は、前記「温水供給動作」と前記「温水要求信号」とが整合すると判定する。そして、熱源制御部４０は、そのまま前記温水供給動作を続行する。このとき、前記ファンコイル１６では、端末制御部２９の制御により、前記端末リモコン２３の操作に基づき熱動弁Ｖ２が開き状態とされる。そして、「温水要求信号」が送信された後に往きヘッダ１９から第２往き管１７ａを介し温水が供給されてきている（すなわち要求信号と供給水が整合している）ことが検知されることでファンコイル１６が自動的に起動され、前記のように各部が制御されて暖房運転を開始する。
【００６６】
なお、以上の図６〜図１５においては、冷温水パネル６６のユーザが、事前に、前記メインリモコン３４の前記運転スイッチ３７及びタイマーボタン３８等により、所望の時間帯の暖房運転設定をした場合を例にとって説明したが、冷房運転設定をした場合も、前述と同様の手法により熱源制御部４０が制御を行う。すなわち、詳細な説明や図示を省略するが、熱源制御部４０は、メインリモコン３４における前記タイマー操作での冷房運転の選択と、前記端末リモコン２３の操作に基づく前記温水要求信号または冷水要求信号とが、整合しているか否かを判定する。そしてそれらが整合するか否かに応じて、前記図８〜図１５と同様、整合しない場合には無効化処理として要求信号（すなわち温水要求信号）を無視した形での制御を行い、整合する場合には要求信号（すなわち冷水要求信号）に沿った形での制御を行う。
【００６７】
次に、以上の手法を実現するために、前記熱源制御部４０が実行する制御手順を図１６のフローチャートにより説明する。図１６において、まずステップＳ５で、熱源制御部４０は、前述したタイマー操作で選択された運転内容と温水要求信号・冷水要求信号との整合・不整合を表すフラグＦを０に初期化する。
【００６８】
その後、ステップＳ１０に移り、熱源制御部４０は、前記端末制御部２９から前記端末制御線４４（Ｅ−ｃｏｎ通信線）を介し温水要求信号または冷水要求信号を受信（後述の図１７のステップＳ１１５参照）したか否かを判定する。いずれの要求信号も受信していない場合はステップＳ１０の判定が満たされず（Ｓ１０：Ｎｏ）、後述のステップＳ２５に移る。温水要求信号または冷水要求信号のいずれかを受信している場合はステップＳ１０の判定が満たされ（Ｓ１０：Ｙｅｓ）、ステップＳ１５に移る。なお、このステップＳ１０を実行する熱源制御部４０が、各請求項記載の受信判定手段として機能する。
【００６９】
ステップＳ１５では、熱源制御部４０は、既にメインリモコン３４において選択済みの前記タイマー操作での運転内容、すなわち暖房運転（言い換えれば温水供給動作）または冷房運転（言い換えれば冷水供給動作）と、前記ステップＳ１０で受信した要求信号の内容（種類）とが整合しているか否か、を判定する。具体的には、前記したように、タイマー操作で暖房運転が選択されている状態で冷水要求信号が受信されていれば整合していないと判定され、タイマー操作で暖房運転が選択されている状態で温水要求信号が受信されていれば整合していると判定され、タイマー操作で冷房運転が選択されている状態で温水要求信号が受信されていれば整合していないと判定され、タイマー操作で冷房運転が選択されている状態で冷水要求信号が受信されていれば整合していると判定される。なお、このステップＳ１５を実行する熱源制御部４０が、各請求項記載の整合判定手段として機能する。整合していないと判定された場合（Ｓ１５：Ｎｏ）は、後述のステップＳ２５に移る。整合していると判定された場合（Ｓ１５：Ｙｅｓ）は、ステップＳ２０で前記フラグＦ＝１とした後、ステップＳ２５に移る。
【００７０】
ステップＳ２５では、熱源制御部４０は、既にメインリモコン３４において設定済みの、前記暖房運転（言い換えれば温水供給動作）または冷房運転（言い換えれば冷水供給動作）の実行時間帯になっているか否か、を判定する。既に当該実行時間帯が到来していた場合はステップＳ２５の判定が満たされ（Ｓ２５：Ｙｅｓ）、ステップＳ３０に移る。
【００７１】
ステップＳ３０では、熱源制御部４０は、ヒートポンプユニット１の各部を制御し、運転切替ボタン３６による選択操作に対応し、暖房運転（すなわち温水供給動作）または冷房運転（すなわち冷水供給動作）を実行させ、かつ、ステップＳ３５で、前記冷温水パネル６６への第１往き管６７ａに設けられた前記熱動弁Ｖ１を開き状態とする。
【００７２】
一方、前記ステップＳ２５において、まだ当該実行時間帯になっていない場合はステップＳ２５の判定が満たされず（Ｓ２５：Ｎｏ）、ステップＳ４０に移る。
【００７３】
ステップＳ４０では、熱源制御部４０は、前記フラグＦが１であるか否かを判定する。前記ステップＳ１５にて前記タイマー操作での運転内容と要求信号とが整合したことで前記ステップＳ２０でＦ＝１となっていた場合は判定が満たされ（Ｓ４０：Ｙｅｓ）、ステップＳ４５に移る。
【００７４】
ステップＳ４５では、前記ステップＳ３０と同様、熱源制御部４０は、ヒートポンプユニット１の各部を制御し、運転切替ボタン３６による選択操作に対応し、暖房運転（すなわち温水供給動作）または冷房運転（すなわち冷水供給動作）を実行させる。但し、この場合は、その後のステップＳ５０で、前記冷温水パネル６６への第１往き管６７ａに設けられた前記熱動弁Ｖ１を閉じ状態とする。これにより、第２往き管１７ａに接続されたファンコイル１６のみ、暖房運転又は冷房運転が可能となる。なお、前記ステップＳ４５、ステップＳ５０、及び、ステップＳ２５、ステップＳ３０、ステップＳ３５を実行する熱源制御部４０が、各請求項記載の第１供給制御判定手段として機能する。
【００７５】
一方、前記ステップＳ４０において、前記ステップＳ１５にて前記タイマー操作での運転内容と要求信号とが整合せずＦ＝０のままである場合には判定が満たされず（Ｓ４０：Ｎｏ）、ステップＳ５５に移る。
【００７６】
ステップＳ５５では、熱源制御部４０は、ヒートポンプユニット１の各部を制御し、暖房運転（すなわち温水供給動作）または冷房運転（すなわち冷水供給動作）を停止状態とし、その後のステップＳ６０で、前記冷温水パネル６６への第１往き管６７ａに設けられた前記熱動弁Ｖ１を閉じ状態とする。なお、前記ステップＳ５５、ステップＳ６０、及び、ステップＳ２５、ステップＳ３０、ステップＳ３５を実行する熱源制御部４０が、各請求項記載の第２供給制御判定手段として機能する。
【００７７】
なお、上記ステップＳ３５、若しくは上記ステップＳ５０、若しくは上記ステップＳ６０が終了したら、その後再びステップＳ５に戻り、上記同様の手順を繰り返す。
【００７８】
次に、前記端末制御部２９が実行する制御手順を図１７のフローチャートにより説明する。図１７において、まずステップＳ１１０で、端末制御部２９は、前記端末リモコン２３から、前記ファンコイル１６の運転を開始する操作（すなわち前記暖房スイッチ２４または冷房スイッチ２５の操作）があったか否か、言い替えれば前記の暖房開始指示信号または冷房開始指示信号を受信したか否か、を判定する。いずれの開始指示信号も受信されていない間は判定が満たされず（Ｓ１１０：Ｎｏ）ループ待機し、いずれかの開始指示信号が受信されると判定が満たされ（Ｓ１１０：Ｙｅｓ）、ステップＳ１１５に移る。
【００７９】
ステップＳ１１５では、端末制御部２９は、ステップＳ１１０で受信された冷房開始指示信号または暖房開始指示信号に対応して、冷水要求信号または温水要求信号を、前記端末制御線４４（Ｅ−ｃｏｎ通信線）を介して熱源制御部４０へ送信する（前記の図１６のステップＳ１０参照）。その後、ステップＳ１２０に移る。
【００８０】
ステップＳ１２０では、端末制御部２９は、前記ファンコイル１６に備えられた前記熱動弁Ｖ２を開き状態とするとともに前記送風ファン等を制御することで、ファンコイル１６を起動する。その後、ステップＳ１３０に移る。なお、このステップＳ１２０を実行する端末制御部２９が、各請求項記載の開始制御手段として機能する。
【００８１】
ステップＳ１３０では、端末制御部２９は、前記熱動弁Ｖ２が開かれたことによって、前記第２往き管１７ａを介し、冷水または温水がファンコイル１６へと供給されたかどうか、を例えばファンコイル１６内を流通する冷水または温水の温度を検出する水温センサの検出結果を用いて、所定温度以上温度変化があったかどうかにより判定する。冷水若しくは温水のいずれもが供給されていなければステップＳ１３０の判定が満たされず（Ｓ１３０：Ｎｏ）、後述のステップＳ１６０に移る。冷水若しくは温水のいずれかが供給されていればステップＳ１３０の判定が満たされ（Ｓ１３０：Ｙｅｓ）、ステップＳ１４０に移る。なお、このステップＳ１３０を実行する端末制御部２９が、各請求項記載の供給有無判定手段として機能する。
【００８２】
ステップＳ１４０では、端末制御部２９は、ステップＳ１３０の判定が満たされたときに検出された冷水（または温水）が、ステップＳ１１０で受信された開始指示信号の内容（冷房開始指示信号または暖房開始指示信号）と整合するか否か、を判定する。具体的には、前記したように、暖房運転開始操作がなされ暖房開始指示信号が受信されている状態で冷水の供給が検出されていれば整合していないと判定され、暖房運転開始操作がなされ暖房開始指示信号が受信されている状態で温水の供給が検出されていれば整合していると判定され、冷房運転開始操作がなされ冷房開始指示信号が受信されている状態で温水の供給が検出されていれば整合していないと判定され、冷房運転開始操作がなされ冷房開始指示信号が受信されている状態で冷水の供給が検出されていれば整合していると判定される。整合していないと判定された場合（Ｓ１４０：Ｎｏ）は、後述のステップＳ１６０に移る。整合していると判定された場合（Ｓ１４０：Ｙｅｓ）は、ステップＳ１５０に移る。なお、このステップＳ１４０を実行する端末制御部２９が、各請求項記載の供給水判定手段として機能する。
【００８３】
ステップＳ１５０では、端末制御部２９は、前記端末リモコン２３から、前記ファンコイル１６の運転を終了する操作（すなわち前記停止スイッチ２６の操作）があったか否かを判定する。前記停止スイッチ２６が操作されていない間は判定が満たされず（Ｓ１５０：Ｎｏ）、前記ステップＳ１３０に戻って同様の手順を繰り返す。前記停止スイッチ２６が操作されると判定が満たされ（Ｓ１６０：Ｙｅｓ）、ステップＳ１６０に移る。
【００８４】
ステップＳ１６０では、端末制御部２９は、前記ファンコイル１６に備えられた前記熱動弁Ｖ２を閉じ状態とするとともに前記送風ファン等を制御することで、ファンコイル１６を停止させる。その後、このフローを終了する。なお、このステップＳ１６０を実行する端末制御部２９が、各請求項記載の第１中止制御手段及び第２中止制御手段として機能する。
【００８５】
以上説明したように、本実施形態の冷温水冷暖房装置１００によれば、熱源制御部４０が、メインリモコン３４における前記タイマー操作での暖房または冷房運転の選択と、前記端末リモコン２３の操作に基づく前記温水要求信号または冷水要求信号とが、整合しているか否かを判定する。そして、前記判定が満たされなかった場合（選択と要求信号とが整合せず食い違っていた場合）は、熱源制御部４０は、ファンコイル１６による暖房運転または冷房運転を無効化処理（前述の例では端末制御部２９からの冷水要求信号または温水要求信号を無視）する。そして、メインリモコン３４によりタイマー操作で設定された前記運転時間帯において、メインリモコン３４における暖房運転（または冷房運転）の前記選択のみに対応した前記温水供給動作（または前記冷水供給動作）を行うことで、冷温水パネル６６による暖房運転（または冷房運転）を行わせる。これにより、図６の比較例において前述したような、メインリモコン３４における当初の選択と食い違った運転が冷温水パネル６６において行われるのを防止することができ、ユーザの利便性を向上することができる。
【００８６】
なお、前記判定が満たされた場合（選択と要求信号とが整合していた場合）は、熱源制御部４０の制御により、ヒートポンプユニット１において、当該選択（言い換えれば前記要求信号）に対応した前記温水供給動作（または前記冷水供給動作）が開始される。これにより、前記ファンコイル１６の暖房運転（または冷房運転）をそのまま開始させることができるとともに、前記運転時間帯の到来時には（前記のような食い違いが生じることなく）前記冷温水パネル６６による暖房運転（または冷房運転）を行うことができる。
【００８７】
また、本実施形態では特に、前記端末制御線４４が一方向通信であって前記食い違いによる要求信号が無視されたことを端末制御部２９側では知り得ないことに対応し、端末制御部２９において、冷水または温水の供給の有無が判定される（図１７のステップＳ１３０）。すなわち、前記のように、端末リモコン２３において暖房運転（又は冷房運転）の開始操作が行われてファンコイル６６の運転が開始されたら、ステップＳ１３０で、第２往き管路６７ａを介し温水又は冷水が供給されているか否かが判定される。前記無視によりヒートポンプユニット１が運転開始されていない（すなわちその時点で前記運転時間帯の範囲外である）場合には、温水又は冷水が供給されてきていないことから、前記のようにいったん開始されたファンコイル６６の運転が中止される。これにより、前記の食い違いが生じた場合における、メインリモコン３４の操作優先による端末リモコン２３の操作の実質無効化（ファンコイル６６の非運転化）を円滑に実行することができる。
【００８８】
また、本実施形態では特に、前記端末制御線４４が一方向通信であって前記食い違いによる要求信号が無視されたことを端末制御部２９側では知り得ないことに対応し、端末制御部２９において、供給される温水又は冷水と、端末リモコン２３における開始操作の内容とが整合しているか否かが判定される（図１７のステップＳ１４０）。すなわち、前記無視により供給される温水または冷水が前記開始操作の内容と整合していない（すなわちファンコイル１６の暖房運転の開始操作にもかかわらず冷水が供給されている、あるいは、ファンコイル１６の冷房運転の開始操作にもかかわらず温水が供給されている）場合には、前記のようにいったん開始されたファンコイル１６の運転が中止される。これにより、前記の食い違いが生じた場合における、メインリモコン３４の操作優先による端末リモコン２３の操作の実質無効化（ファンコイル１６の非運転化）を円滑に実行することができる。
【００８９】
また、本実施形態では特に、端末制御部２９は、端末リモコン２３の暖房スイッチ２４の操作があった場合には温水要求信号を熱源制御部４０へ送信し、冷房スイッチ２５の操作があった場合には、冷水要求信号を熱源制御部４０へ送信する。これにより、端末リモコン２３におけるユーザによる暖房運転の開始操作（又は冷房運転の開始操作）に確実に対応させて、端末制御部２９から熱源制御部４０に対し対応する要求信号を送信することができる。
【００９０】
なお、本発明は上記実施形態に限定されるものではなく、発明の要旨を変更しない範囲で種々の変更が可能である。例えば、上記実施形態では、前記地中又は前記比較的大容量の水源中に地中熱交換器１１を設け、この地中熱熱交換器２３で前記地中又は前記水源と熱交換した熱媒を、熱源側循環回路１３において循環させたが、これに限られない。すなわち、このような循環回路を構成するのではなく、開放型の管路を熱源側循環ポンプ１４に接続するようにしても良い。この場合、熱源側循環ポンプ１４の上流側（ポンプ流入側）及び下流側（ポンプ流出側）がそれぞれ前述の湖沼、貯水池、河川、海、温泉、井戸等の水源（あるいは一定温度の水を供給する冷水器でもよい）に接続され、その水源等の水を前記熱源側循環ポンプ１４で直接汲み上げて使用する。すなわち、前記水源等の水は、ポンプ上流側に接続された管路（上流側管路）を通じて前記熱源側循環ポンプ１４に供給され、ポンプ下流側に接続された管路（下流側管路）へ吐出された後、その下流側管路に設けられた前記熱源側熱交換器６に導かれて前記冷媒と熱交換を行った後、さらに前記下流側管路を通じて前記水源等に戻される。この場合、前記上流側管路に接続される水源等と前記下流側管路に接続される水源等は同一のものでもよいし、別々のものでもよい。
【００９１】
また、上記実施形態では、ヒートポンプユニット１において、熱源側熱交換器６に対して水や不凍液が供給され、それらの液体と冷媒とが当該熱源側熱交換器において熱交換する場合を例にとって説明したが、これに限られない。すなわち、熱源機として、前記ヒートポンプユニット１に代えて、熱源側熱交換器に冷媒を通じる一方で外気を送風する送風ファンを有し、熱源としての前記外気と前記冷媒とが熱交換される、いわゆる空気熱源式のヒートポンプユニットを用いて良い。さらには、前記熱源側熱交換器において前記冷媒と熱交換できるものであれば、前記液体や前記外気に代えて、それ以外のもの（例えば、発煙、排煙、各種高温ガス等を含む気体や、熱砂、塵埃、各種粒子等を含む流動固体）を熱源側熱交換器に通じたり、太陽光、反射光、その他輻射等による熱を熱源側熱交換器に供給して用いても良い。
【００９２】
また例えば、上記実施形態では、地中熱交換器１１を１本だけ地中に設けた場合を例にとって説明しているが、これに限られず、地中熱交換器１１は地中に複数設けられていてもよい。その場合、それら複数の地中熱交換器１１は互いに並列に接続されていてもよいし、直列に接続されていてもよい。
【００９３】
また、上記実施形態では、地中熱を用いたヒートポンプ回路８のみを備えた単一熱源型のヒートポンプ装置に本発明を適用した場合を例にとって説明したが、これに限られない。すなわち、地中熱を用いたヒートポンプ回路８と空気熱を用いた別のヒートポンプ回路とを備えた複合熱源型のヒートポンプ装置に適用してもよい。さらには、ヒートポンプ回路８を含み３つ以上のヒートポンプ回路を備えた複合熱源型のヒートポンプ装置に適用してもよい。
【００９４】
さらに、上記実施形態では、室内端末機として、１台のファンコイル１６及び１台の冷温水パネル６６の合計２台が接続されている場合を例にとって説明したが、これに限られない。すなわち３台以上の室内端末機、例えば、１台のファンコイル１６及び２台の冷温水パネル６６、あるいは、２台のファンコイル１６及び１台の冷温水パネル６６、あるいは、２台のファンコイル１６及び２台の冷温水パネル６６、等が接続される構成でも良い。
【符号の説明】
【００９５】
１                ヒートポンプユニット（熱源機）
１６              ファンコイル（第２室内端末機）
２３              端末リモコン
２４              暖房スイッチ（暖房指示手段）
２５              冷房スイッチ（冷房指示手段）
２９              端末制御部
３４              メインリモコン
３６              運転切替ボタン（選択手段）
３８              タイマーボタン（タイマー手段）
４０              熱源制御部
４４              端末制御線
６６              冷温水パネル（第１室内端末機）
１００            冷温水冷暖房装置
【図１】
0006518201.tif 000002
【図２】
0006518201.tif 000003
【図３】
0006518201.tif 000004
【図４】
0006518201.tif 000005
【図５】
0006518201.tif 000006
【図６】
0006518201.tif 000007
【図７】
0006518201.tif 000008
【図８】
0006518201.tif 000009
【図９】
0006518201.tif 000010
【図１０】
0006518201.tif 000011
【図１１】
0006518201.tif 000012
【図１２】
0006518201.tif 000013
【図１３】
0006518201.tif 000014
【図１４】
0006518201.tif 000015
【図１５】
0006518201.tif 000016
【図１６】
0006518201.tif 000017
【図１７】
0006518201.tif 000018